(57)【要約】【課題】録画装置において、自動ダビングを行う際の使い勝手を良くする。【解決手段】ハードディスクレコーダは、自動ダビング設定リストに設定された番組について、ダビングされていないタイトルがある場合に（Ｓ４でＹＥＳ）、装着された光ディスクがダビング可能なディスクである否かを判断する。この結果、この光ディスクにダビング可能であるとき（Ｓ５でＹＥＳ）、光ディスクのボリュームラベルと、メモリに記憶されたボリュームラベル情報とに基づいて、この光ディスクが、ダビングを行うタイトルの番組に対応しているか否かを判断する（Ｓ６）。そして、対応している場合（Ｓ７でＹＥＳ）、ハードディスクレコーダは、現在予約中ではない場合であって（Ｓ８でＮＯ）、予約録画開始までにダビング処理が終了する場合（Ｓ９でＹＥＳ）、ダビングされていないタイトルを例えば時系列順に自動ダビングする（Ｓ１０）。【選択図】図７
2010199757.tif 000002
【特許請求の範囲】
【請求項１】
テレビジョン番組（以下、番組という）を該番組のタイトルと関連付けて録画可能なハードディスクと、
前記番組と識別情報とを記録可能な記録メディアを装着する装着部と、
前記装着部に装着された記録メディアに、前記ハードディスクに録画されている番組のコピーの記録（以下、ダビングという）を行うダビング手段と、
予約録画を行う番組の予約録画開始時間を含む予約録画番組情報が記憶された記憶手段と、
前記ダビング手段を用いた自動ダビングの制御を行う制御手段とを備える録画装置において、
前記記憶手段は、
自動ダビングを実行可能な時間帯の情報（以下、自動ダビング実行時間情報という）と、
自動ダビングを行う番組についての情報（以下、自動ダビング番組情報という）を含む自動ダビング設定リストと、
前記ハードディスクに録画された各タイトルと、各タイトルのそれぞれに対して前記記録メディアにダビングを行ったか否かを示すダビングフラグとを含むダビング済判定情報と、
自動ダビングを行う番組と記録メディアの識別情報との対応テーブル（以下、記録メディア識別情報という）とをさらに記憶し、
前記制御手段は、
前記自動ダビング実行時間情報に基づいて、自動ダビングを実行可能な時間であるか否かを判断し、
この結果、自動ダビングを実行可能な時間である場合、前記自動ダビング設定リストに含まれる自動ダビング番組情報と前記ダビング済判定情報とに基づいて、ダビングされていないタイトルがあるか否かを判断し、
この結果、ダビングされていないタイトルがある場合、前記装着部に装着されている記録メディアの識別情報と、前記記憶手段に記憶された記録メディア識別情報とに基づいて、該記録メディアが該ダビングされていないタイトルを含む番組に対応しているか否か判断し、
この結果、前記番組に対応している場合、前記記憶手段に記憶された予約録画番組情報に基づいて、ダビング終了までに予約録画が開始されるか否かを判断し、
この結果、ダビング終了までに予約録画が開始されない場合、前記ダビング手段を用いて、前記記録媒体に録画された前記ダビングされていないタイトルを前記記録メディアに自動ダビングすることを特徴とする録画装置。
【請求項２】
前記制御手段は、
前記装着部に装着されている記録メディアの識別情報と、前記記憶手段に記憶された記録メディア識別情報とに基づいて、該記録メディアが、前記ダビングされていないタイトルを含む番組に対応しているか否かを判断するときに、
前記記録メディアに識別情報が記録されていない場合、該記録メディアに識別情報を記録すると共に、該識別情報と前記ダビングされていないタイトルを含む番組との対応テーブルを、前記記録メディア識別情報として前記記憶手段に記憶することを特徴とする請求項１に記載の録画装置。
【発明の詳細な説明】
【技術分野】
【０００１】
本発明は、自動ダビング可能な録画装置に関する。
【背景技術】
【０００２】
従来から、ハードディスク（以下、ＨＤＤという）に録画したテレビジョン番組（以下、番組という）をＤＶＤ等の記録メディアにダビングする場合、ユーザがダビング対象の番組を選択した時に、ダビング対象の番組のリスト（以下、ダビングリストという）を自動的に作成し、このダビングリストに従って番組を記録メディアにダビングする録画装置が知られている（例えば、特許文献１乃至３参照）。この種の録画装置は、記録メディアの種類に係わらずダビングリストに従って番組をダビングするため、例えば、ユーザが、同じシリーズの番組だけを１つの記録メディアにダビングしたい場合であっても異なるシリーズの番組がその記録メディアにダビングされることがある。従って、ユーザにとって使い勝手が悪いという問題がある。また、ユーザによるダビング対象の番組の選択処理時にしかダビングリストに従ったダビングを行うことができないので、録画装置が所定の時間に自動的にダビングリストに従ったダビングを実行する処理（自動ダビング）を行うことができない。
【０００３】
これに対して、特許文献４には、ダビング先の記録メディアにメディア番号を付与し、どの番組をどの記録メディアにダビングするか否かを制御することができる録画装置が開示されている。しかしながら、この録画装置は、ダビングを行う番組のデータ量が、例えばＤＶＤ１枚分などになった場合でなければ自動ダビングを行わないため、ユーザにとって使い勝手が悪い。
【先行技術文献】
【特許文献】
【０００４】
【特許文献１】特開２００８−２５１１２８号公報
【特許文献２】特開２００８−７７７３５号公報
【特許文献３】特開２００７−１３５８９号公報
【特許文献４】特開２００６−１９７３４７号公報
【発明の概要】
【発明が解決しようとする課題】
【０００５】
本発明は、上述した問題点を解決するためになされたものであり、自動ダビングを行う際に、ユーザにとって使い勝手の良い録画装置を提供することを目的とする。
【課題を解決するための手段】
【０００６】
上記目的を達成するために請求項１の発明は、テレビジョン番組（以下、番組という）を該番組のタイトルと関連付けて録画可能なハードディスクと、前記番組と識別情報とを記録可能な記録メディアを装着する装着部と、前記装着部に装着された記録メディアに、前記ハードディスクに録画されている番組のコピーの記録（以下、ダビングという）を行うダビング手段と、予約録画を行う番組の予約録画開始時間を含む予約録画番組情報が記憶された記憶手段と、前記ダビング手段を用いた自動ダビングの制御を行う制御手段とを備える録画装置において、前記記憶手段は、自動ダビングを実行可能な時間帯の情報（以下、自動ダビング実行時間情報という）と、自動ダビングを行う番組についての情報（以下、自動ダビング番組情報という）を含む自動ダビング設定リストと、前記ハードディスクに録画された各タイトルと、各タイトルのそれぞれに対して前記記録メディアにダビングを行ったか否かを示すダビングフラグとを含むダビング済判定情報と、自動ダビングを行う番組と記録メディアの識別情報との対応テーブル（以下、記録メディア識別情報という）とをさらに記憶し、前記制御手段は、前記自動ダビング実行時間情報に基づいて、自動ダビングを実行可能な時間であるか否かを判断し、この結果、自動ダビングを実行可能な時間である場合、前記自動ダビング設定リストに含まれる自動ダビング番組情報と前記ダビング済判定情報とに基づいて、ダビングされていないタイトルがあるか否かを判断し、この結果、ダビングされていないタイトルがある場合、前記装着部に装着されている記録メディアの識別情報と、前記記憶手段に記憶された記録メディア識別情報とに基づいて、該記録メディアが該ダビングされていないタイトルを含む番組に対応しているか否か判断し、この結果、前記番組に対応している場合、前記記憶手段に記憶された予約録画番組情報に基づいて、ダビング終了までに予約録画が開始されるか否かを判断し、この結果、ダビング終了までに予約録画が開始されない場合、前記ダビング手段を用いて、前記記録媒体に録画された前記ダビングされていないタイトルを前記記録メディアに自動ダビングするものである。
【０００７】
請求項２に記載の発明は、請求項１に記載の録画装置において、前記制御手段は、前記装着部に装着されている記録メディアの識別情報と、前記記憶手段に記憶された記録メディア識別情報とに基づいて、該記録メディアが、前記ダビングされていないタイトルを含む番組に対応しているか否かを判断するときに、前記記録メディアに識別情報が記録されていない場合、該記録メディアに識別情報を記録すると共に、該識別情報と前記ダビングされていないタイトルを含む番組との対応テーブルを、前記記録メディア識別情報として前記記憶手段に記憶するものである。
【発明の効果】
【０００８】
本発明によれば、自動ダビングを実行可能な時間である場合に、ダビングされていないタイトルがあるとき、記録メディアの識別情報と、記憶手段に記憶された記録メディア識別情報とに基づいて、その時点で装着されている記録メディアがダビングされていないタイトルを含む番組に対応しているか否か判断する。そして、対応している場合であって、ダビング終了までに予約録画が開始されないときに、記録メディアに自動ダビングを行う。そのため、従来と異なり、タビングされていないタイトルが所定のデータ量まで蓄積される前に自動ダビングを行うことができるので、ユーザにとって使い勝手が良い。
【図面の簡単な説明】
【０００９】
【図１】本発明の一実施形態に係るハードディスクレコーダの構成を示すブロック図。
【図２】上記ハードディスクレコーダの予約録画番組情報を示すリスト。
【図３】上記ハードディスクレコーダの自動ダビング実行時間を示すリスト。
【図４】上記ハードディスクレコーダの自動タビング設定リストを示すリスト。
【図５】上記ハードディスクレコーダのダビング済み判定情報を示すリスト。
【図６】上記ハードディスクレコーダのボリュームラベル情報を示すリスト。
【図７】上記ハードディスクレコーダの自動ダビング処理の手順を示すフローチャート。
【発明を実施するための形態】
【００１０】
本発明の一実施形態に係るハードディスクレコーダ（録画装置）について、図１乃至図６を参照して説明する。図１は、ハードディスクレコーダ１の内部構成を示すブロック図である。図２乃至図６は、メモリ１７に記憶される各種情報の一例を示す。ハードディスクレコーダ１は、放送局から放送されるテレビジョン番組（以下、番組という）の録画再生、及び録画した番組を記録メディア、例えばＤＶＤ等へコピー（ダビング）することができる。ハードディスクレコーダ１によって再生された番組の映像信号及び音声信号は、伝送ケーブル３を介してテレビジョン受像機（以下、ＴＶ受像機という）２に出力される。ＴＶ受像機２は、映像を表示するディスプレイや、音声を出力するスピーカを有する表示装置である。
【００１１】
ハードディスクレコーダ１は、放送局から放送されるテレビジョン放送信号に基づく番組を受信するチューナ１１と、ユーザによって操作されるボタン等を有する操作部１２と、筐体外部に露出するように設けられたＨＤＭＩ端子等から構成される端子部１３とを備える。また、ハードディスクレコーダ１は、番組を録画するハードディスク（以下、ＨＤＤという）１４と、アクセス部１５と、光ディスクドライブ（装着部）１６と、各種情報が記憶されるメモリ（記憶手段）１７と、装置各部の制御を行う制御用マイコン（制御手段）１８とをさらに備える。
【００１２】
ＨＤＤ１４は、番組と、番組のタイトル（以下、タイトルという）とを関連付けて録画する。アクセス部１５は、ＨＤＤ１４に対して番組やタイトルの書き込みや読み出しを行う。
【００１３】
光ディスクドライブ１６は、内部にＤＶＤ等の光ディスク（記録メディア）Ｄが装着される。光ディスクＤは、番組と、光ディスクＤのボリュームラベル（識別情報）Ｄ１とを記録可能であり、光ディスクドライブ１６は、光ディスクＤからの番組やボリュームラベルＤ１の読み出しや、光ディスクＤに対する番組の書込み（ダビング）やボリュームラベルＤ１の書込みを行う。
【００１４】
メモリ１７は、制御用マイコン１８を動作させるためのプログラム１７ａと、予約録画を行う番組の情報が格納された予約録画番組情報１７ｂと、自動ダビング実行時間情報１７ｃと、自動ダビング設定リスト１７ｄと、ボリュームラベル情報（記録メディア識別情報）１７ｅと、ダビング済判定情報１７ｆとを記憶する。
【００１５】
予約録画番組情報１７ｂは、図２に示すように、予約録画を行う番組名３１と、予約録画日付３２と、予約録画開始時間３３と、番組の予約録画終了時間３４とを記憶する。
【００１６】
自動ダビング実行時間情報１７ｃは、図３に示すように、自動ダビングを実行可能な自動ダビング実行時間帯４１と、自動ダビング実行可能設定情報４２とを記憶する。具体的には、例えば、自動ダビングの実行可能時間帯４１として、午前中（例えば、６：００〜１２：００）、午後（例えば、１２：００〜２２：００）、夜中（例えば、２２：００〜６：００）の情報が記憶されており、自動ダビング実行可能設定情報４２には、ユーザによって選択された値の情報が記憶される。
【００１７】
自動ダビング設定リスト１７ｄは、図４に示すように、自動ダビングを行う番組の各番組名４５（請求項における自動ダビング番組情報）を記憶する。ダビング済判定情報１７ｆは、図５に示すように、自動ダビングを行う番組の各タイトル５０と、各タイトルに対応する番組名５１と、各タイトルのそれぞれに対して光ディスクＤにダビングを行ったか否かを示すダビングフラグ５２とを記憶する。ボリュームラベル情報１７ｅは、図６に示すように、光ディスクＤのボリュームラベルＤ１を示すボリュームラベル６１と、このボリュームラベルに対応する番組名６２とを記憶する。
【００１８】
制御用マイコン１８は、再生処理部１８ａと、録画処理部１８ｂと、ダビング処理部（ダビング手段）１８ｃと、ボリュームラベル処理部１８ｄとを有する。
【００１９】
再生処理部１８ａは、チューナ１１によって受信された番組や、光ディスクドライブ１６によって光ディスクＤから読み出された番組や、アクセス部１５を介してＨＤＤ１４から読み出した番組の再生を行い、再生された番組の映像信号及び音声信号をＴＶ受像機２に出力する。
【００２０】
録画処理部１８ｂは、例えばユーザによって設定された予約録画番組情報１７ｂに基づいてチューナ１１から受信された番組をＨＤＤ１４に記録する録画処理を行う。
【００２１】
ダビング処理部１８ｃは、光ディスクドライブ１６に装着された光ディスクＤに、ＨＤＤ１４に録画されている番組のコピーを記録（ダビング）するダビング処理を行う。また、ダビング処理部１８ｃは、ユーザによって予め予約された条件に従って自動的にダビングを行う処理（以下、自動ダビング処理という）を行うことができる。
【００２２】
ボリュームラベル処理部１８ｄは、光ディスクＤのボリュームラベルＤ１から情報を読み取ったり、ボリュームラベルＤ１に、例えばユーザによって指定されたボリュームラベルを書込んだりする処理を行う。制御用マイコン１８は、ボリュームラベル処理部１８ｄによって書込まれたボリュームラベルＤ１の内容をメモリ１４のボリュームラベル情報１７ｅに記録する。
【００２３】
次に、自動ダビング処理の手順について、上記図２乃至図６、及び図７に示すフローチャートを参照して説明する。ここでは、既に光ディスクドライブ１６に光ディスクＤが装着されているものとする。
【００２４】
制御用マイコン１８は、自動ダビング実行時間情報１７ｃに基づいて、自動ダビングを実行可能な時間であるか否かを判断する（Ｓ１）。この結果、自動ダビングを実行可能な時間である場合（Ｓ２でＹＥＳ）、自動ダビング設定リスト１７ｄに含まれる番組名４５とダビング済判定情報１７ｆとに基づいて、ダビングされていないタイトルがあるか否かを判断する（Ｓ３）。具体的には、自動ダビング実行時間情報１７ｃが図３に示したものである場合、現在の時刻が、午前中（例えば、６：００〜１２：００）である場合（上記Ｓ２でＹＥＳに相当）、ダビング済判定情報１７ｆの中に、自動ダビング設定リスト１７ｄに含まれる番組名４５と同じ番組名５１を有するタイトル５０で、しかもダビングフラグ５２が「未」であるタイトルがあるか否かを判断する（上記Ｓ３に相当）。
【００２５】
上記Ｓ３の結果、ダビングされていないタイトルがある場合（Ｓ４でＹＥＳ）、光ディスクドライブ１６に装着されている光ディスクＤが記録可能なディスクであるか否かを判断する。具体的には、光ディスクＤが、例えば、追記型、又は書換型であるか否かの判断や、録画可能領域が十分あるか否かを判断する。そして、光ディスクＤがダビング可能であるとき（Ｓ５でＹＥＳ）、制御用マイコン１８は、光ディスクドライブ１６に装着されている光ディスクＤのボリュームラベルＤ１と、ボリュームラベル情報１７ｅとに基づいて、光ディスクＤが、ダビングされていないタイトルを含む番組に対応しているか否かを判断する（Ｓ６）。具体的には、上記図５に示すダビング済判定情報１７ｆ内のダビングフラグ５２が「未」である「Ｃドラマ」を自動ダビングする場合、上記図６のボリュームラベル情報１７ｅに示すように、「Ｃドラマ」６２に対応する「Ｃドラマディスク」のボリュームラベル６１と、光ディスクＤのボリュームラベルＤ１とが対応しているか否かを判断する（上記Ｓ６に相当）。
【００２６】
一方、上記Ｓ３の判断の結果、ダビングされていないタイトルが無い場合（Ｓ４でＮＯ）、本処理を終了する。また、光ディスクドライブ１６に装着されている光ディスクＤが、ダビング可能なディスクではない場合（Ｓ５でＮＯ）、本処理を終了する。
【００２７】
そして、上記Ｓ６の判断の結果、光ディスクＤがこれからダビングしようとする番組のダビングに対応している場合（Ｓ７でＹＥＳ）、制御用マイコン１８は、予約録画番組情報１７ｂに基づいて、現在予約録画中であるか否かを判断し、予約中ではない場合（Ｓ８でＮＯ）、さらに予約録画番組情報１７ｂに基づいて、次回の予約録画開始までにダビング処理が終了するか否かを判断する。この結果、ダビングが終了する場合（Ｓ９でＹＥＳ）、制御用マイコン１８は、ダビング処理部１８ｃを用いて、ＨＤＤ１４に録画されている同じ番組名のタイトルのうち、ダビングされていないタイトルを、例えば、時系列順に光ディスクＤに自動ダビングした後、ダビングしたタイトルに対応するダビング済判定情報１７ｆ内のダビングフラグ５２をダビング済みに変更する（Ｓ１０）。
【００２８】
一方、上記Ｓ６の判断の結果、対応した光ディスクＤではない場合（Ｓ７でＮＯ）であって、光ディスクＤのボリュームラベルＤ１に何も記録されていないとき、つまり、光ディスクＤがブランクディスクであるとき（Ｓ１１でＹＥＳ）、制御用マイコン１８は、ボリュームラベル処理部１８ｄを用いて、光ディスクＤのボリュームラベルＤ１に任意のボリュームラベルを記録すると共に、記録したボリュームラベルをボリュームラベル情報１７ｅに記憶（Ｓ１２）する。そして、制御用マイコン１８は、その後、上記Ｓ８以降の処理を行なう。ボリュームラベルＤ１に記録される情報は、ユーザによって操作部１２を操作されることにより任意の名前が記録されてもよい。
【００２９】
一方、光ディスクＤがブランクディスクではない場合（Ｓ１１でＮＯ）、上記Ｓ１以降の処理を繰り返す。つまり、ダビング済判定情報１７ｆに含まれるダビングフラグ５２に基づいて、ダビング済判定情報１７ｆに含まれるダビングされていない別のタイトル５０のダビング処理を行う。
【００３０】
上述したように、本実施形態に係るハードディスクレコーダ１においては、自動ダビングを実行可能な時間である場合に、ダビングされていないタイトルがあるとき、制御用マイコン１８は、光ディスクＤのボリュームラベルＤ１と、メモリ１７に記憶されたボリュームラベル情報１７ｅとに基づいて、光ディスクＤがダビングされていないタイトルを含む番組に対応しているか否か判断する。そして、制御用マイコン１８は、光ディスクＤが上記の番組に対応している場合であって、ダビング終了までに予約録画が開始されないときに、光ディスクＤに自動ダビングを行う。そのため、従来と異なり、タビングされていないタイトルが所定のデータ量まで蓄積される前に自動ダビングを行うことができるので、ユーザにとって使い勝手が良い。
【００３１】
また、光ディスクＤがブランクディスクであった場合、その光ディスクＤのボリュームラベルＤ１に任意のボリュームラベルを記録した後、処理を続行することができるため、ユーザにとって使い勝手が良い。
【００３２】
なお、本発明は、上記実施形態の構成に限られず、発明の趣旨を変更しない範囲で種々の変形が可能である。例えば、番組をダビングする光ディスクＤは、ブルーレイディスクやＣＤであってもよい。
【符号の説明】
【００３３】
１  ハードディスクレコーダ（録画装置）
１４  メモリ（記憶手段）
１６  光ディスクドライブ（装着部）
１７  メモリ（記憶手段）
１８  制御用マイコン（制御手段）
５２  ダビングフラグ
１７ｂ  予約録画番組情報
１７ｃ  自動ダビング実行時間情報
１７ｄ  自動ダビング設定リスト
１７ｅ  ボリュームラベル情報（記録メディア識別情報）
１７ｆ  ダビング済判定情報
１８ｃ  ダビング処理部（ダビング手段）
Ｄ  光ディスク（記録メディア）
Ｄ１  ボリュームラベル（識別情報）
【図１】
2010199757.tif 000003
【図２】
2010199757.tif 000004
【図３】
2010199757.tif 000005
【図４】
2010199757.tif 000006
【図５】
2010199757.tif 000007
【図６】
2010199757.tif 000008
【図７】
2010199757.tif 000009